【手続補正書】
【提出日】平成21年12月30日(2009.12.30)
【手続補正１】
【補正対象書類名】特許請求の範囲
【補正対象項目名】全文
【補正方法】変更
【補正の内容】
【特許請求の範囲】
【請求項１】
前二輪、後一輪の三輪自転車に於いて、車体の傾きに応じて前二輪をあべこべに左右対称に上下させ尚且つ、車体、詰まり後輪と平 
行の同じ角度を保つ為、車体と平行してL字アーム又はロール芯より平行にアッパーアーム、ロワーアームを振り分け設置する、アッパーアーム、ロワーアームとも一本物で左右のアップライトに繋がれる。この際舵は、車軸芯、(ロール芯) にセットする。又は、平行アームはオフセットし、本体のステアリングヘッドから左右のステアリングヘッドに連結し左右対称上下に平行運動をする車輪の軌道を起こす。また、別の傾け方として、車体と同じ車輪の傾きは歯車とチェーンで行う。
【請求項２】
車体の傾きに準じて前二輪をあべこべに左右対称に上下させる為、差動機又はラックと歯車、又はシーソーレバーなどを用いる。四輪自転車も同じ手法を取る。それぞれ転倒防止の為
、平行を保つ為にバネやトーショーバーを用いる。
【請求項３】
下パイプをUの字にし泥よけを兼ね、下フレームをペダルの下位の位置よりも下げ、立パイプをピボット、ボトム・ブラケットよりも後方へ持って行き、乗降しやすくする。
【請求項４】
四輪自転車に於いてアクスル、車輪はそのままに車体だけを傾ける。
【請求項５】
サイドカーに於ける側車を牽引する形を取る事で、サイドカーの上下運動を可能とし、コーナー並びカーブでの旋回を楽にする。両側に車輪を取り付ける事により転倒防止にもなる。
【請求項６】
前輪の上に乗る形でサドルを置き前輪駆動とし、前輪の軸に遊星歯車を用い変速を行う。
【請求項７】
後輪の上に乗る形でサドルを置き後輪を駆動する、両側に駆動装置を取り付ける。
【請求項８】
車体の上下の傾き、道路の勾配、自転車の速度に応じて、自動変速機を操作する、変速機にはCVTやDCTなどを用いる。
【請求項９】
車体をポリカーボーネットなどの透明素材に変え、その中に蛍光管などの照明を取り付け夜間の走行安全性を高める。
【手続補正２】
【補正対象書類名】明細書
【補正対象項目名】全文
【補正方法】変更
【補正の内容】
【発明の詳細な説明】
【発明の名称】234自転車
【技術分野】
【０００１】
本発明は基本となるものは前二輪、後一輪のトライク (三輪自転車) で、四輪にも出来る。また牽引型サイドカーでもある。
【特許文献１】特開１００３−００００００号公報
【非特許文献１】特許一郎著  「自転車のいろいろ」特許出版  １００３年
【発明の開示】
【発明が解決しようとする課題】
【０００２】
三人乗り自転車に於ける安全安心安定した自転車で、補助席の子供を守るとともに、自転車としての安全安心操作性運動性を兼ね備えたものと
する。
【課題を解決するための手段】
【０００３】
車体の傾きに伴って三輪又は四輪とも車体と同じ傾きになる。地面に対しても平行に倒す。サイドカーを牽引する。四輪の場合、車輪はそのままに、
車体だけを傾ける。
【発明の効果】
【０００４】
二輪では得られない安定性がある為、転倒の危険性が少ない。
【発明を実施するための最良の形態】
【０００５】
多人数乗車しても転倒性の危険性の少ない安心安全な乗り物とす為、前輪を二輪のトライクか、後二輪の三輪車か、四輪自転車か、
サイドカータイプとする。
【実施例１】
【０００６】
図１は、フレームから平行に左右に延びたLアームが作動する事を表した図。フレーム内に内蔵された差動機と左右のバランス 
を保つスプリングダンパーと舵によって構成されている。
【実施例２】
【０００７】
図２は、前後左右の車軸中心点にフレームを置き、フレームのヘッド中心点から平行にアッパーアーム、ロワーアームの二本のアームを振り分けそれを左右前輪のアップライトに取り付け、車体と同じ傾きで前輪が傾く事を表した図。アッパーアーム、ロワーアームとも、一本物で左右のアップライトと繋がれる。左右のバランスを取るバネと軸の中心で作動する舵で構成される。
【実施例３】
【０００８】
図３は、ステアリングヘッドから二本の平行アームを左右のステアリングヘッドに取り付け車体の傾きと同角度で左右車輪を変化させる。また舵も左右のステアリングヘッドを軸とし、タイロッドにより、ハンドルを切った角度と同角度で左右並行に車輪が作動する事を表した図。
フレームと二本の平行アームは直角のまま固定される。フレームは乗り降りのしやすさを考慮したものである。
【実施例４】
【０００９】
図４は、ステアリングヘッドを中心 (軸) に左右の車輪を動かし、ステアリングヘッドに取り付けられた並行アーム (二本とも同じ長さである) により車体の傾きと同角度で左右の前輪が反応する事を表した図。フレームも乗り降りに考慮しUの字で泥除けも兼ねる、このフレームは通常の二輪車にも対応できる例を表した図、図４-4。
【実施例５】
【００１０】
図５は、フレームを前後車軸の中心に据え、前輪はそのロール中心 (芯) からフレームを挟む形でアッパーアーム、ロワーアームを振り分け左右のアップライトに連結した事を表した図で、後輪はフレーム中心より左右にリヤアームを取り付け、ラックと小歯車で車体の傾きに応じて左右の後輪を互い違いに作動させる事を表し、駆動をシャフトドライブとした図。
【実施例６】
【００１１】
図6は、図5と同類ではあるが駆動方式を変えた例である。リヤアームを車体と直角としギアクランクによりチェーンに伝わって来た力をシャフトドライブに変換し後輪を動かす事を表した図である。
【実施例７】
【００１２】
図7は、前後車体中心でフレームをロールさせる事を表した図で、前後のアクスルは水平のままである。
【実施例８】
【００１３】
図8は、図7のチェーン駆動ではなくシャフトドライブにした図である。
【実施例９】
【００１４】
図9は、ステアリングヘッド又はフレームから連結棒で補助車を牽引する事を表した図。側車は上下動のみをこなす。尚、連結棒にベビーカーや乳母車を取り付ける事も可能である。連結棒は取り外しのきく物もとする事が出来る。リングはトーショーバーか、ぜんまいバネで中立を保っても良い。これを左右に取り付け台車、補助車、補助輪、側車としても良い。図9-7は符号、(34)と(38)を同一の物とした。
【実施例１０】
【００１５】
図10は、図9の１から8までの図に該当、類似するが、この図は前輪軸又はフロントフォークから連結棒により左右に補助車を取り付け、後車の左右にある補助車にはリア.アーム又はフレームから連結棒で繋ながれている事を表した図である。
【実施例１１】
【００１６】
図11は、図10に更に前輪軸から、後輪軸から補助輪を連結させた例。図11-5は台車の籠が補助車のフレームを兼用する事を表した図である。
【実施例１２】
【００１７】
図12は、前輪に乗る形を取り、前輪駆動とし、後を空けて人や荷物が乗るようにした。後輪はギアとチェーンにより傾きを作りだしている図である。
【実施例１３】
【００１８】
図13は、後輪に乗る形を取り、前方に人や荷物が乗るようにした。前輪は平行アームで傾きを作りだしている図である。
【実施例１４】
【００１９】
図14は、四輪自転車で、旋回の際、車輪はほぼ垂直のまま、乗車部分の車体だけをハンドルと共に傾ける図である。図7に類似する。
【実施例１５】
【００２０】
図15は、前二輪、後一輪の構造からなっており、コーナーで車体を傾けると、内輪が押し込まれ、天秤により外輪への押し出しとなる。ハブの上下運動を上下のショックアブソーバーで支える構造となっている。
【実施例１６】
【００２１】
図16は直列三輪の構造となっており、中央の車輪がペダル、クランク、遊星ギアを施し、車輪を駆動させる。後の籠は、車体の傾きとは関係なく、常に水平を保つ構造となっている。
【実施例１７】
【００２２】
図17は、補助椅子が、運転者と向かい合わせにハンドルの上に一つ、運転者の左右に前向きで一つずつ、後部に中心を隔てて、外向きに二つの補助椅子からなる二輪車。
【実施例１８】
【００２３】
図18は、ステアリングベッドに補助椅子を設け、前輪の操舵に影響されぜフレームに固定された形を取り、操舵を前フォークかレバーを施し、補助椅子の背凭れ後でハンドルを擁し操作する、後部シートは乗り降りのし易い形状をなす。
【実施例１９】
【００２４】
図19は、運転者が子供を「おんぶに抱っこ、」の形を取って運転する場合に適したシートの形状を成し、三者をシートベルトで一体化する。
【実施例２０】
【００２５】
図20は、乗降のし易さを徹底追及されたフレーム形状を成し、フレームそのものが、フェンダーの役目を果たす。更にスタンドを油圧ジャッキーないし、電動ジャッキーとし、停車時の安定を図る構造となす。
【実施例２１】
【００２６】
図21は前後の補助シートが背凭れを軸に回転する構造となっていて、常に車体の傾き相反して水平を保つ構造となっている。
【実施例２２】
【００２７】
図22は、前後の車輪の両脇にサイドバックならぬ補助椅子とした物で低重心化された構造を成す。フェンダーの上に、詰まり、両サイドに跨り乗ることも可能である。
【実施例２３】
【００２８】
図23は、前後補助椅子の乗降のしやすさと、発進時トルクアップの手助けとして、リニアチェーンを装備したモデルである。
【実施例２４】
【００２９】
図24は、前輪の車輪内に枠を設け、枠その物を軸とし、枠の中に子供の乗車スペースを設けたもの、また、サドルの上下調整はフェンダー・フレームに沿って円運動を成す。
【実施例２５】
【００３０】
図25は、自転車を並列接続したもので、前進旋回が楽に出来るよう、バーで繋ぎ、トーションバーなどで倒立を保つ。側車として用いる場合、ハンドルやギアクランクを排除し、図19で用いられたシートをステアリングヘッドまで伸ばし敷設する。
【実施例２６】
【００３１】
図26は、図16を二輪とし、前後に振り子状の椅子を設けたタイプを成す。
【産業上の利用可能性】
【００３２】
自転車。オートバイ。四輪車。側車。
【図面の簡単な説明】
【００３３】
【図１−１】正面図
【図１−２】背面図
【図１−３】左側面図
【図１−４】右側面図
【図１−５】平面図
【図１−６】底面図
【図１−７】斜視図(投影図、立体図、投射図、アイソメ図)
【図１−８】拡大透視斜視図
【図１−９】作動図。（実施例1）
【図２−１】正面図
【図２−２】背面図
【図２−３】左側面図
【図２−４】右側面図
【図２−５】平面図
【図２−６】底面図
【図２−７】斜視図
【図２−８】拡大透視斜視図
【図２−９】作動図。（実施例2）
【図３−１】正面図
【図３−２】背面図
【図３−３】左側面図
【図３−４】右側面図
【図３−５】平面図
【図３−６】底面図
【図３−７】斜視図
【図３−８】作動図（実施例3）
【図４−１】正面図
【図４−２】背面図
【図４−３】左側面図
【図４−４】右側面図
【図４−５】平面図
【図４−６】底面図
【図４−７】斜視図
【図４−８】作動図（実施例4）
【図５−１】正面図
【図５−２】背面図
【図５−３】左側面図
【図５−４】右側面図
【図５−５】平面図
【図５−６】底面図
【図５−７】斜視図
【図５−８】拡大透視斜視図
【図５−９】作動図。（実施例5）
【図６−１】正面図
【図６−２】背面図
【図６−３】左側面図
【図６−４】右側面図
【図６−５】平面図
【図６−６】底面図
【図６−７】斜視図
【図６−８】拡大透視斜視図
【図６−９】作動図。（実施例6）
【図７−１】正面図
【図７−２】背面図
【図７−３】左側面図
【図７−４】右側面図
【図７−５】平面図
【図７−６】底面図
【図７−７】斜視図
【図７−８】拡大透視斜視図
【図７−９】作動図（実施例7）
【図８−１】正面図
【図８−２】背面図
【図８−３】左側面図
【図８−４】右側面図
【図８−５】平面図
【図８−６】底面図
【図８−７】斜視図
【図８−８】拡大透視斜視図
【図８−９】作動図（実施例8）
【図９−１】正面図
【図９−２】背面図
【図９−３】左側面図
【図９−４】右側面図
【図９−５】平面図
【図９−６】底面図
【図９−７】斜視図
【図９−８】作動図（実施例9）
【図１０−１】正面図
【図１０−２】背面図
【図１０−３】左側面図
【図１０−４】右側面図
【図１０−５】平面図
【図１０−６】底面図
【図１０−７】斜視図
【図１０−８】作動図。（実施例10）
【図１１−１】正面図
【図１１−２】背面図
【図１１−３】左側面図
【図１１−４】右側面図
【図１１−５】平面図
【図１１−６】底面図
【図１１−７】斜視図。（実施例11）
【図１２−１】正面図
【図１２−２】背面図
【図１２−３】左側面図
【図１２−４】右側面図
【図１２−５】平面図
【図１２−６】底面図
【図１２−７】斜視図
【図１２−８】作動図。（実施例12）
【図１３−１】正面図
【図１３−２】背面図
【図１３−３】左側面図
【図１３−４】右側面図
【図１３−５】平面図
【図１３−６】底面図
【図１３−７】斜視図
【図１３−８】作動図。（実施例13）
【図１４−１】正面図
【図１４−２】背面図
【図１４−３】左側面図
【図１４−４】右側面図
【図１４−５】平面図
【図１４−６】底面図
【図１４−７】斜視図
【図１４−８】作動図。（実施例14）
【図１５−１】正面図
【図１５−２】背面図
【図１５−３】左側面図
【図１５−４】右側面図
【図１５−５】平面図
【図１５−６】底面図
【図１５−７】斜視図
【図１５−８】作動図。（実施例15）
【図１６−１】正面図
【図１６−２】背面図
【図１６−３】左側面図
【図１６−４】右側面図
【図１６−５】平面図
【図１６−６】底面図
【図１６−７】斜視図
【図１６−８】作動図。（実施例16）
【図１７−１】正面図
【図１７−２】背面図
【図１７−３】左側面図
【図１７−４】右側面図
【図１７−５】平面図
【図１７−６】底面図
【図１７−７】斜視図
【図１８−１】正面図
【図１８−２】背面図
【図１８−３】左側面図
【図１８−４】右側面図
【図１８−５】平面図
【図１８−６】底面図
【図１８−７】斜視図
【図１９−１】正面図
【図１９−２】背面図
【図１９−３】左側面図
【図１９−４】右側面図
【図１９−５】平面図
【図１９−６】底面図
【図１９−７】斜視図
【図２０−１】正面図
【図２０−２】背面図
【図２０−３】左側面図
【図２０−４】右側面図
【図２０−５】平面図
【図２０−６】底面図
【図２０−７】斜視図
【図２１−１】正面図
【図２１−２】背面図
【図２１−３】左側面図
【図２１−４】右側面図
【図２１−５】平面図
【図２１−６】底面図
【図２１−７】斜視図
【図２１−８】作動図。（実施例21）
【図２２−１】正面図
【図２２−２】背面図
【図２２−３】左側面図
【図２２−４】右側面図
【図２２−５】平面図
【図２２−６】底面図
【図２２−７】斜視図
【図２２−８】斜視図。
【図２３−１】正面図
【図２３−２】背面図
【図２３−３】左側面図
【図２３−４】右側面図
【図２３−５】平面図
【図２３−６】底面図
【図２３−７】斜視図
【図２４−１】正面図
【図２４−２】背面図
【図２４−３】左側面図
【図２４−４】右側面図
【図２４−５】平面図
【図２４−６】底面図
【図２４−７】斜視図
【図２５−１】正面図
【図２５−２】背面図
【図２５−３】左側面図
【図２５−４】右側面図
【図２５−５】平面図
【図２５−６】底面図
【図２５−７】斜視図
【図２６−１】正面図
【図２６−２】背面図
【図２６−３】左側面図
【図２６−４】右側面図
【図２６−５】平面図
【図２６−６】底面図
【図２６−７】斜視図
【図２６−８】作動図。（実施例26）
【図２６−９】斜視  作動図。（実施例26）
【符号の説明】
【００３４】
1       
フレーム
2       
前輪
3       
後輪
4       
フロントアーム (Lアーム)
5       
アップライト
6       
タイロッド
7       
ハンドル(ハンドルバー)
8       
チェーン
9       
ロッド
10   
レバー
11   
サドル(シート)
12   
ペダル
13   
ギアクランク
14   
ハンドルステム
15   
スプリングダンパー
16   
差動機
17   
スポーク
18   
ハブ
19   
ユニバーサルジョイント
20   
スプライン
21   
ピロボール
22   
チェーンステー(リヤアーム、リアホーク)
23   
左右連結アッパーアーム
24   
ステアリングヘッド
25   
脚(立パイプ)
26   
ピボット
27   
左右連結ロワーアーム
28   
ラックと小歯車
29   
平歯車
30   
ベベルギア
31   
シャフト(シャフトドライブ)
32   
リング
33   
アクスル
34   
補助車、台車、サイドカー
35   
連結棒
36   
籠(BOX)
37   
補助輪(タイヤ)
38   
補助車フレーム
39   
ステアリングヘッド
40   
フロントフォーク
41   
遊星歯車
42   
キャリア
43   
バックホーク
44   
スプロケット(後)
45   
チェーンリング(前)
46   
クランク(伸縮)
47   
天秤
48   
チェーンリングカバー
49   
フェンダー・フレーム
50   
揺り籠(左右動)
51   
シート(補助椅子)
52   
衝立(背凭れ)
53   
ステップ
54   
バンパー
55   
スポーク
56   
連帯紐(安全帯)
57   
ジャッキー(油圧、電動、カム式)
58   
バッテリー
59   
リニアモーターチェン
60   
フェンダー
61   
サドルポスト
62   
キャリア
63   
バンパーフレーム
64   
手摺
65   
チェーンケースカバー
66   
コロ、ベアリング
67   
補助パイプ
68   
バー
69   
吊り金具
70   
トーションバー
【手続補正３】
【補正対象書類名】図面
【補正対象項目名】全図
【補正方法】変更
【補正の内容】
【図１−１】
2009286285.tif 000001
【図１−２】
2009286285.tif 000002
【図１−３】
2009286285.tif 000003
【図１−４】
2009286285.tif 000004
【図１−５】
2009286285.tif 000005
【図１−６】
2009286285.tif 000006
【図１−７】
2009286285.tif 000007
【図１−８】
2009286285.tif 000008
【図１−９】
2009286285.tif 000009
【図２−１】
2009286285.tif 000010
【図２−２】
2009286285.tif 000011
【図２−３】
2009286285.tif 000012
【図２−４】
2009286285.tif 000013
【図２−５】
2009286285.tif 000014
【図２−６】
2009286285.tif 000015
【図２−７】
2009286285.tif 000016
【図２−８】
2009286285.tif 000017
【図２−９】
2009286285.tif 000018
【図３−１】
2009286285.tif 000019
【図３−２】
2009286285.tif 000020
【図３−３】
2009286285.tif 000021
【図３−４】
2009286285.tif 000022
【図３−５】
2009286285.tif 000023
【図３−６】
2009286285.tif 000024
【図３−７】
2009286285.tif 000025
【図３−８】
2009286285.tif 000026
【図４−１】
2009286285.tif 000027
【図４−２】
2009286285.tif 000028
【図４−３】
2009286285.tif 000029
【図４−４】
2009286285.tif 000030
【図４−５】
2009286285.tif 000031
【図４−６】
2009286285.tif 000032
【図４−７】
2009286285.tif 000033
【図４−８】
2009286285.tif 000034
【図５−１】
2009286285.tif 000035
【図５−２】
2009286285.tif 000036
【図５−３】
2009286285.tif 000037
【図５−４】
2009286285.tif 000038
【図５−５】
2009286285.tif 000039
【図５−６】
2009286285.tif 000040
【図５−７】
2009286285.tif 000041
【図５−８】
2009286285.tif 000042
【図５−９】
2009286285.tif 000043
【図６−１】
2009286285.tif 000044
【図６−２】
2009286285.tif 000045
【図６−３】
2009286285.tif 000046
【図６−４】
2009286285.tif 000047
【図６−５】
2009286285.tif 000048
【図６−６】
2009286285.tif 000049
【図６−７】
2009286285.tif 000050
【図６−８】
2009286285.tif 000051
【図６−９】
2009286285.tif 000052
【図７−１】
2009286285.tif 000053
【図７−２】
2009286285.tif 000054
【図７−３】
2009286285.tif 000055
【図７−４】
2009286285.tif 000056
【図７−５】
2009286285.tif 000057
【図７−６】
2009286285.tif 000058
【図７−７】
2009286285.tif 000059
【図７−８】
2009286285.tif 000060
【図７−９】
2009286285.tif 000061
【図８−１】
2009286285.tif 000062
【図８−２】
2009286285.tif 000063
【図８−３】
2009286285.tif 000064
【図８−４】
2009286285.tif 000065
【図８−５】
2009286285.tif 000066
【図８−６】
2009286285.tif 000067
【図８−７】
2009286285.tif 000068
【図８−８】
2009286285.tif 000069
【図８−９】
2009286285.tif 000070
【図９−１】
2009286285.tif 000071
【図９−２】
2009286285.tif 000072
【図９−３】
2009286285.tif 000073
【図９−４】
2009286285.tif 000074
【図９−５】
2009286285.tif 000075
【図９−６】
2009286285.tif 000076
【図９−７】
2009286285.tif 000077
【図９−８】
2009286285.tif 000078
【図１０−１】
2009286285.tif 000079
【図１０−２】
2009286285.tif 000080
【図１０−３】
2009286285.tif 000081
【図１０−４】
2009286285.tif 000082
【図１０−５】
2009286285.tif 000083
【図１０−６】
2009286285.tif 000084
【図１０−７】
2009286285.tif 000085
【図１０−８】
2009286285.tif 000086
【図１１−１】
2009286285.tif 000087
【図１１−２】
2009286285.tif 000088
【図１１−３】
2009286285.tif 000089
【図１１−４】
2009286285.tif 000090
【図１１−５】
2009286285.tif 000091
【図１１−６】
2009286285.tif 000092
【図１１−７】
2009286285.tif 000093
【図１２−１】
2009286285.tif 000094
【図１２−２】
2009286285.tif 000095
【図１２−３】
2009286285.tif 000096
【図１２−４】
2009286285.tif 000097
【図１２−５】
2009286285.tif 000098
【図１２−６】
2009286285.tif 000099
【図１２−７】
2009286285.tif 000100
【図１２−８】
2009286285.tif 000101
【図１３−１】
2009286285.tif 000102
【図１３−２】
2009286285.tif 000103
【図１３−３】
2009286285.tif 000104
【図１３−４】
2009286285.tif 000105
【図１３−５】
2009286285.tif 000106
【図１３−６】
2009286285.tif 000107
【図１３−７】
2009286285.tif 000108
【図１３−８】
2009286285.tif 000109
【図１４−１】
2009286285.tif 000110
【図１４−２】
2009286285.tif 000111
【図１４−３】
2009286285.tif 000112
【図１４−４】
2009286285.tif 000113
【図１４−５】
2009286285.tif 000114
【図１４−６】
2009286285.tif 000115
【図１４−７】
2009286285.tif 000116
【図１４−８】
2009286285.tif 000117
【図１５−１】
2009286285.tif 000118
【図１５−２】
2009286285.tif 000119
【図１５−３】
2009286285.tif 000120
【図１５−４】
2009286285.tif 000121
【図１５−５】
2009286285.tif 000122
【図１５−６】
2009286285.tif 000123
【図１５−７】
2009286285.tif 000124
【図１５−８】
2009286285.tif 000125
【図１６−１】
2009286285.tif 000126
【図１６−２】
2009286285.tif 000127
【図１６−３】
2009286285.tif 000128
【図１６−４】
2009286285.tif 000129
【図１６−５】
2009286285.tif 000130
【図１６−６】
2009286285.tif 000131
【図１６−７】
2009286285.tif 000132
【図１６−８】
2009286285.tif 000133
【図１７−１】
2009286285.tif 000134
【図１７−２】
2009286285.tif 000135
【図１７−３】
2009286285.tif 000136
【図１７−４】
2009286285.tif 000137
【図１７−５】
2009286285.tif 000138
【図１７−６】
2009286285.tif 000139
【図１７−７】
2009286285.tif 000140
【図１７−８】
2009286285.tif 000141
【図１８−１】
2009286285.tif 000142
【図１８−２】
2009286285.tif 000143
【図１８−３】
2009286285.tif 000144
【図１８−４】
2009286285.tif 000145
【図１８−５】
2009286285.tif 000146
【図１８−６】
2009286285.tif 000147
【図１８−７】
2009286285.tif 000148
【図１９−１】
2009286285.tif 000149
【図１９−２】
2009286285.tif 000150
【図１９−３】
2009286285.tif 000151
【図１９−４】
2009286285.tif 000152
【図１９−５】
2009286285.tif 000153
【図１９−６】
2009286285.tif 000154
【図１９−７】
2009286285.tif 000155
【図２０−１】
2009286285.tif 000156
【図２０−２】
2009286285.tif 000157
【図２０−３】
2009286285.tif 000158
【図２０−４】
2009286285.tif 000159
【図２０−５】
2009286285.tif 000160
【図２０−６】
2009286285.tif 000161
【図２０−７】
2009286285.tif 000162
【図２１−１】
2009286285.tif 000163
【図２１−２】
2009286285.tif 000164
【図２１−３】
2009286285.tif 000165
【図２１−４】
2009286285.tif 000166
【図２１−５】
2009286285.tif 000167
【図２１−６】
2009286285.tif 000168
【図２１−７】
2009286285.tif 000169
【図２１−８】
2009286285.tif 000170
【図２２−１】
2009286285.tif 000171
【図２２−２】
2009286285.tif 000172
【図２２−３】
2009286285.tif 000173
【図２２−４】
2009286285.tif 000174
【図２２−５】
2009286285.tif 000175
【図２２−６】
2009286285.tif 000176
【図２２−７】
2009286285.tif 000177
【図２２−８】
2009286285.tif 000178
【図２３−１】
2009286285.tif 000179
【図２３−２】
2009286285.tif 000180
【図２３−３】
2009286285.tif 000181
【図２３−４】
2009286285.tif 000182
【図２３−５】
2009286285.tif 000183
【図２３−６】
2009286285.tif 000184
【図２３−７】
2009286285.tif 000185
【図２４−１】
2009286285.tif 000186
【図２４−２】
2009286285.tif 000187
【図２４−３】
2009286285.tif 000188
【図２４−４】
2009286285.tif 000189
【図２４−５】
2009286285.tif 000190
【図２４−６】
2009286285.tif 000191
【図２４−７】
2009286285.tif 000192
【図２５−１】
2009286285.tif 000193
【図２５−２】
2009286285.tif 000194
【図２５−３】
2009286285.tif 000195
【図２５−４】
2009286285.tif 000196
【図２５−５】
2009286285.tif 000197
【図２５−６】
2009286285.tif 000198
【図２５−７】
2009286285.tif 000199
【図２５−８】
2009286285.tif 000200
【図２６−１】
2009286285.tif 000201
【図２６−２】
2009286285.tif 000202
【図２６−３】
2009286285.tif 000203
【図２６−４】
2009286285.tif 000204
【図２６−５】
2009286285.tif 000205
【図２６−６】
2009286285.tif 000206
【図２６−７】
2009286285.tif 000207
【図２６−８】
2009286285.tif 000208
【図２６−９】
2009286285.tif 000209